(57)【要約】【課題】ＲｏＦを使用する移動通信システムにおいて無線信号の送信タイミングを同期させる。【解決手段】移動通信システムは、複数の基地局装置であって、複数の基地局装置のうちの第１基地局装置は、処理装置と、処理装置とＲｏＦ方式で通信する無線装置と、を有する複数の基地局装置と、複数の基地局装置のうちの第１基地局装置とは異なる１つ以上の第２基地局装置から設定用装置を選択し、設定用装置が第１ユーザ装置に割当てた上り方向の無線リソースを示す情報を取得し、無線リソースを処理装置に通知する様に構成された制御装置と、を有し、処理装置は、対応する無線装置を介して第１ユーザ装置が無線リソースを使用して送信する信号を受信し、第１ユーザ装置が送信する信号の受信タイミングを判定することで、対応する無線装置への信号の送信タイミングを判定する。【選択図】図４
2019208159.tif 000002
【特許請求の範囲】
【請求項１】
複数の基地局装置であって、前記複数の基地局装置のうちの第１基地局装置は、処理装置と、前記処理装置に対応し、前記処理装置とレディオオーバファイバ方式で通信する無線装置と、を有する前記複数の基地局装置と、
前記複数の基地局装置のうちの前記第１基地局装置とは異なる１つ以上の第２基地局装置から設定用装置を選択し、前記設定用装置が第１ユーザ装置に割当てた上り方向の無線リソースを示す情報を取得し、前記無線リソースを前記処理装置に通知する様に構成された制御装置と、
を有する移動通信システムであって、
前記処理装置は、対応する前記無線装置を介して前記第１ユーザ装置が前記無線リソースを使用して送信する信号を受信し、前記第１ユーザ装置が送信する信号の受信タイミングを判定することで、対応する前記無線装置への信号の送信タイミングを判定することを特徴とする移動通信システム。
【請求項２】
前記処理装置は、前記無線リソースのタイミングと、前記第１ユーザ装置が送信する信号の受信タイミングと、の差に基づき、対応する前記無線装置への信号の送信タイミングを判定することを特徴とする請求項１に記載の移動通信システム。
【請求項３】
前記制御装置は、前記処理装置からの要求に応答して、前記１つ以上の第２基地局装置から前記設定用装置を選択し、前記設定用装置から前記無線リソースを示す情報を取得し、前記無線リソースを前記処理装置に通知することを特徴とする請求項１又は２に記載の移動通信システム。
【請求項４】
前記制御装置は、前記処理装置からの前記要求に応答して、前記１つ以上の第２基地局装置から所定条件を満たす第２基地局装置を選択装置として選択し、前記選択装置から選択した第２基地局装置を前記設定用装置とし、
前記制御装置は、前記選択装置のうちの前記設定用装置として選択しなかった第３基地局装置に前記無線リソースを通知し、
前記第３基地局装置は、前記制御装置から前記無線リソースの通知を受け取ると、前記制御装置から終了通知を受け取るまで、通知された前記無線リソースと同じ無線リソースを在圏するユーザ装置に割り当てないことを特徴とする請求項３に記載の移動通信システム。
【請求項５】
前記第３基地局装置は、前記制御装置から前記無線リソースの通知を受け取ると、前記制御装置から終了通知を受け取るまで、通知された前記無線リソースと同じ周波数帯域の無線リソースを在圏するユーザ装置に割り当てないことを請求項４に記載の移動通信システム。
【請求項６】
前記制御装置は、前記処理装置に対応する前記無線装置の設置位置と、前記１つ以上の第２基地局装置が有するユーザ装置への無線信号の送信を行う装置の設置位置との距離が所定値以内である第２基地局装置を、前記選択装置として選択することを特徴とする請求項４又は５に記載の移動通信システム。
【請求項７】
前記制御装置は、前記選択装置から１つの第２基地局装置を前記設定用装置として選択すると、当該第２基地局装置に前記設定用装置として選択されたことを通知し、
前記第２基地局装置は、前記設定用装置として選択されたことの通知を受け取ると、前記制御装置から終了通知を受け取るまで、前記無線リソースと同じ周波数帯域の無線リソースを在圏する前記第１ユーザ装置とは異なる第２ユーザ装置に割り当てないことを特徴とする請求項４から６のいずれか１項に記載の移動通信システム。
【請求項８】
前記処理装置は、前記対応する無線装置への信号の送信タイミングの判定が完了すると、前記制御装置に完了を通知し、
前記制御装置は、前記処理装置から完了の通知を受け取ると、前記選択装置に前記終了通知を行うことを特徴とする請求項４から７のいずれか１項に記載の移動通信システム。
【請求項９】
前記処理装置は、前記対応する無線装置への信号の送信タイミングの判定が所定期間内に完了しないと、前記制御装置に不完了を通知し、
前記制御装置は、前記処理装置から不完了の通知を受け取ると、前記第３基地局装置から前記設定用装置を再選択することを特徴とする請求項４から８のいずれか１項に記載の移動通信システム。
【請求項１０】
前記処理装置は、
ベースバンド信号処理を行う第１処理手段と、
無線周波数信号処理を行う第２処理手段と、
前記第２処理手段が出力する無線周波数信号で光搬送波を変調して光変調信号を生成する光変調手段と、
を備え、
前記無線装置は、前記処理装置から受信する前記光変調信号の光電変換を行う光電変換手段を有することを特徴とする請求項１から９のいずれか１項に記載の移動通信システム。
【請求項１１】
前記１つ以上の第２基地局装置は、前記処理装置と前記無線装置とで構成される基地局装置を含むことを特徴とする請求項１から１０のいずれか１項に記載の移動通信システム。
【請求項１２】
前記１つ以上の第２基地局装置は、ベースバンド信号処理を行う第１装置と、無線周波数信号処理を行う第２装置と、を有し、前記第１装置と前記第２装置とが光伝送路を介して通信する基地局装置を含むことを特徴とする請求項１から１１のいずれか１項に記載の移動通信システム。
【請求項１３】
複数の基地局装置であって、前記複数の基地局装置のうちの第１基地局装置は、処理装置と、前記処理装置に対応し、前記処理装置とレディオオーバファイバ方式で通信する無線装置と、を有する前記複数の基地局装置と、
前記複数の基地局装置のうちの前記第１基地局装置とは異なる１つ以上の第２基地局装置から設定用装置を選択する選択手段と、
前記設定用装置が第１ユーザ装置に割当てた上り方向の無線リソースを示す情報を取得する取得手段と、
前記無線リソースを前記処理装置に通知する通知手段と、
を有し、
前記処理装置は、対応する前記無線装置を介して前記第１ユーザ装置が前記無線リソースを使用して送信する信号を受信し、前記第１ユーザ装置が送信する信号の受信タイミングを判定することで、対応する前記無線装置への信号の送信タイミングを判定することを特徴とする移動通信システム。
【請求項１４】
複数の基地局装置を有し、前記複数の基地局装置のうちの第１基地局装置は、処理装置と、前記処理装置に対応し、前記処理装置とレディオオーバファイバ方式で通信する無線装置と、を有する移動通信システムの前記処理装置であって、
前記複数の基地局装置のうちの前記第１基地局装置とは異なる第２基地局装置から選択された設定用装置が第１ユーザ装置に割当てた上り方向の無線リソースを示す情報を取得する取得手段と、
対応する前記無線装置を介して前記第１ユーザ装置が前記無線リソースを使用して送信する信号を受信し、前記第１ユーザ装置が送信する信号の受信タイミングを判定することで、対応する前記無線装置への信号の送信タイミングを判定する判定手段と、
を備えていることを特徴とする処理装置。
【請求項１５】
前記判定手段は、前記無線リソースのタイミングと、前記第１ユーザ装置が送信する信号の受信タイミングと、の差に基づき、対応する前記無線装置への信号の送信タイミングを判定することを特徴とする請求項１４に記載の処理装置。
【発明の詳細な説明】
【技術分野】
【０００１】
本発明は、移動通信システムにおけるタイミング同期技術に関する。
【背景技術】
【０００２】
ＴＤＤ方式を使用する移動無線通信システム（以下、単に移動通信システムと呼ぶ）において、基地局装置とユーザ装置（ＵＥ）は、同じ帯域を使用して上り方向と下り方向の無線通信を行う。ＴＤＤ方式においては、移動通信システムの各基地局装置が無線信号を送受信するタイミングを同期させる必要がある。例えば、基地局装置は、ＧＰＳ等により時刻情報を受信してタイミングを同期させることができる。
【０００３】
現在、図１に示す様に、基地局装置を、ベースバンド信号処理を行う装置（以下、ＢＢＵ（Ｂａｓｅ  Ｂａｎｄ  Ｕｎｉｔ）と呼ぶ）と、無線周波数信号処理及び無線信号の送受信処理を行う装置（以下、ＲＲＨ（Ｒｅｍｏｔｅ  Ｒａｄｉｏ  Ｈｅａｄ）と呼ぶ。）と、に分離し、ＢＢＵとＲＲＨとを異なる地理的位置に配置する構成が使用されている。なお、ベースバンド信号処理とは、下り方向においては、データにより変調を行ってアナログのベースバンド信号を生成する処理を含む処理を意味する。また、無線周波数信号処理とは、下り方向においては、ベースバンド信号の周波数変換を行って、無線周波数帯域の信号を生成する処理を含む処理を意味する。さらに、無線信号の送受信処理とは、下り方向においては、無線周波数帯域の信号に基づき無線信号を送信する処理を含む処理を意味する。なお、基地局装置をＢＢＵとＲＲＨに分割する構成において、ＢＢＵは、アナログのベースバンド信号をデジタル信号に変換してＲＲＨに送信し、ＲＲＨは、デジタルのベースバンド信号からアナログのベースバンド信号を生成した後、周波数変換等の処理を行って無線信号を送信する。基地局装置をＢＢＵとＲＲＨとに分割する構成において、ＢＢＵとＲＲＨとは光伝送路で接続され、非特許文献１に記載のＣＰＲＩプロトコルで通信を行う。
【０００４】
ここで、ＴＤＤを使用する場合、基地局装置をＢＢＵとＲＲＨに分割する構成では、各ＲＲＨが無線信号を送受信するタイミングを同期させる必要がある。例えば、図１に示す様に、ＲＲＨが下り無線信号の送信を開始するタイミングを基準タイミングとする。また、ＢＢＵが送信した信号は、遅延時間ｋだけ後のタイミングでＲＲＨから無線信号として送信されるものとする。この場合、ＢＢＵは、基準タイミングより遅延時間ｋだけ早いタイミングから下りに関するベースバンド信号の送信を開始する必要がある。このため、ＣＰＲＩプロトコルは、遅延時間ｋの測定を行う機能を実装している。
【先行技術文献】
【非特許文献】
【０００５】
【非特許文献１】ＣＰＲＩ  Ｓｐｅｃｆｉｃａｔｉｏｎ  Ｖ７．０、Ｃｏｍｍｏｎ  Ｐｕｂｌｉｃ  Ｒａｄｉｏ  Ｉｎｔｅｒｆａｃｅ（ＣＰＲＩ）；Ｉｎｔｅｒｆａｃｅ  Ｓｐｅｃｉｆｉｃａｔｉｏｎ、２０１５年１０月９日
【発明の概要】
【発明が解決しようとする課題】
【０００６】
今後の移動通信システムにおいては、大容量の通信を行う必要性からミリ波等の高周波数の使用が検討されている。ミリ波等の高周波数を使用する場合、その伝送距離が短くなる。したがって、今後の移動通信システムにおいては、小さいセルを高密度で配置する必要がある。これは、無線信号の送受信ポイントを、高密度で配置する必要があることを意味する。例えば、ＲＲＨは、デジタル伝送されるベースバンド信号をアナログのベースバンド信号に変換する機能や、アナログベースバンド信号を無線周波数帯の信号に周波数変換する機能等、多くの機能を実装する必要があり、この様な多くの機能を有するＲＲＨを、高密度で配置することは困難である。なお、ベースバンド処理から無線信号の送受信処理までを行う従来の基地局装置は、ＲＲＨより多くの機能を有するため、従来の基地局装置を高密度で配置することも困難である。そのため、基地局装置を、ベースバンド信号処理及び無線周波数信号処理を行う装置と、無線信号の送受信処理を行う装置とに分割する構成が検討されている。図２に示す様に、以下の説明において、ベースバンド信号処理及び無線周波数信号処理を行う機能を有する装置を処理装置と呼び、無線信号の送受信処理を行う機能を有する装置を無線装置と呼ぶものとする。
【０００７】
基地局装置の機能を処理装置と無線装置に分割する構成において、処理装置と無線装置との間の信号伝送には、所謂、レディオオーバファイバ（ＲｏＦ：Ｒａｄｉｏ  ｏｖｅｒ  Ｆｉｂｅｒ）方式が使用される。図２は、下り方向における処理装置と無線装置の構成図である。処理装置は、従来のＢＢＵとＲＲＨとを有し、ＲＲＨは、無線周波数信号を光変調部に出力する。光変調部は、光搬送波を無線周波数信号で変調して光変調信号を生成し、生成した光変調信号を無線装置に送信する。無線装置の光電変換部は、受信する光変調信号を光電変換することで無線周波数信号を取り出し、増幅等の必要な処理を行った後、無線周波数信号をアンテナに出力する。そして、アンテナは、無線周波数信号を無線信号として送信する。上り方向においては、その逆の処理が行われる。
【０００８】
基地局装置の機能を処理装置と無線装置に分割する構成においても、ＴＤＤを使用する場合には、無線装置が無線信号を送受信するタイミングを同期させなければならない。したがって、処理装置は、対応する無線装置が無線信号を送信するタイミングより遅延時間ｋだけ早いタイミングで光変調信号を送信しなければならない。ここで、デジタル伝送であるＢＢＵとＲＲＨとの間の通信とは異なり、ＲｏＦはアナログ伝送であり、ＣＰＲＩプロトコルの様な、伝搬遅延を測定するプロトコルを実装し難い。
【０００９】
本発明は、ＲｏＦを使用する移動通信システムにおいて無線信号の送信タイミングを同期させる技術を提供するものである。
【課題を解決するための手段】
【００１０】
本発明の一態様によると、移動通信システムは、複数の基地局装置であって、前記複数の基地局装置のうちの第１基地局装置は、処理装置と、前記処理装置に対応し、前記処理装置とレディオオーバファイバ方式で通信する無線装置と、を有する前記複数の基地局装置と、前記複数の基地局装置のうちの前記第１基地局装置とは異なる１つ以上の第２基地局装置から設定用装置を選択し、前記設定用装置が第１ユーザ装置に割当てた上り方向の無線リソースを示す情報を取得し、前記無線リソースを前記処理装置に通知する様に構成された制御装置と、を有し、前記処理装置は、対応する前記無線装置を介して前記第１ユーザ装置が前記無線リソースを使用して送信する信号を受信し、前記第１ユーザ装置が送信する信号の受信タイミングを判定することで、対応する前記無線装置への信号の送信タイミングを判定することを特徴とする。
【発明の効果】
【００１１】
本発明によると、ＲｏＦを使用する移動通信システムにおいて無線信号の送信タイミングを同期させることができる。
【図面の簡単な説明】
【００１２】
【図１】基地局装置をＢＢＵとＲＲＨに分割する構成におけるＢＢＵの送信タイミングの説明図。
【図２】一実施形態による処理装置と無線装置の構成図。
【図３】一実施形態による移動通信システムの構成図。
【図４】一実施形態による処理装置の構成方法の説明図。
【図５】一実施形態による移動通信システムが処理装置を構成するために実行する処理のシーケンス図。
【発明を実施するための形態】
【００１３】
以下、本発明の例示的な実施形態について図面を参照して説明する。なお、以下の実施形態は例示であり、本発明を実施形態の内容に限定するものではない。また、以下の各図においては、実施形態の説明に必要ではない構成要素については図から省略する。
【００１４】
図３は、本実施形態による移動通信システムの構成図である。処理装置２１〜２３は、上述した様に、従来のＢＢＵ及びＲＲＨに加えて、下り方向においては、光変調部を、上り方向においては光電変換部を備えている。同様に、無線装置３１〜３３は、アンテナに加えて、下り方向においては光電変換部を、上り方向においては、光変調部を備えている。図３に示す様に、処理装置２１〜２３は、それぞれ、無線装置３１〜３３と光伝送路により接続され、所謂、ＲｏＦ方式の通信を行う。各無線装置３１〜３３はセルを提供し、提供するセルに在圏する１つ以上のユーザ装置（ＵＥ）と無線により通信可能に構成されている。なお、各無線装置３１〜３３は、ＴＤＤによりユーザ装置と通信する。また、本実施形態では、各処理装置２１〜２３と制御線で接続され、各処理装置２１〜２３を制御する制御装置１が設けられる。
【００１５】
なお、図３の構成において、処理装置２２及び３２の組と、処理装置２３及び３３の組は、既に、移動通信サービスを提供するために使用されているものとする。つまり、処理装置２３は、無線装置３３が下り方向の無線信号の送信を開始する基準タイミングと、処理装置２３が光変調信号を送信してから無線装置３３が当該光変調信号に基づく無線信号の送信を開始するまでの遅延時間ｋと、を知っているものとする。処理装置２２についても同様である。また、図３において、ユーザ装置（ＵＥ）４は、無線装置３３が提供するセル内に在圏しており、無線装置３３を介して通信を行っているものとする。以下では、処理装置２１及び３１の組をサービス提供用とするために、処理装置２１を構成する場合を例にして本実施形態の説明を行う。
【００１６】
図４は、本実施形態における処理装置２１の構成方法の説明図である。より具体的には、処理装置２１に、処理装置２１が光変調信号を送信してから無線装置３１が当該光変調信号に基づく無線信号の送信を開始するまでの遅延時間を設定する方法の説明図である。上述した様に、ＵＥ４は、無線装置３３を介して処理装置２３に上り方向の信号を送信するが、この信号に使用する上り方向の無線リソースは、処理装置２３が指定する。ここで、図４に示す様に、処理装置２３は、基準タイミングからＸだけ後のタイミングで送信が開始される無線リソースをＵＥ４に割り当てたものとする。ＵＥ４が送信する信号は、無線装置３３のみならず、他の無線装置、ここでは無線装置３１にも到達する。したがって、無線装置３１がこの信号を処理装置２１に送信することで、処理装置２１は、ＵＥ４が送信した信号を受信することができる。この場合、処理装置２１に対して、ＵＥ４の信号送信タイミングを予め通知しておけば、このＵＥ４の信号送信タイミングと、処理装置２１がＵＥ４からの信号を実際に受信する受信タイミングとの差Ｙが、処理装置２１が光変調信号を送信してから無線装置３１が当該光変調信号に基づく無線信号の送信を開始するまでの遅延時間となる。なお、ＵＥ４と無線装置３１との間の伝送遅延は無視できる程度に小さいものとする。なお、通常のセルの半径は、数キロメートルであり、この想定は適切である。
【００１７】
図５は、本実施形態による処理装置２１の設定方法のフローチャートである。まず、処理装置２１は、Ｓ１で、制御装置１に対して開始通知を行う。開始通知は、遅延時間の測定及びその設定の開始を要求する信号である。制御装置１は、処理装置２１から開始通知を受信すると、Ｓ２で、処理装置２１に対応する無線装置３１との距離が所定値以内である無線装置に対応する処理装置を選択装置として選択する。これは、選択装置が収容するＵＥからの無線信号を無線装置３１に受信させるためである。本例では、処理装置２２及び２３が選択されたものとする。なお、処理装置と無線装置との対応関係や、無線装置の設置位置に関する情報は、事前に制御装置１に設定されているものとする。さらに、制御装置１は、Ｓ２で、選択装置（ここでは、処理装置２２及び２３）から、処理装置２１の設定に使用する設定用装置を選択する。設定用装置の選択方法は任意である。ここでは、処理装置２３が設定用装置として選択されたものとする。制御装置１は、Ｓ３で、開始通知を行った処理装置２１と選択装置に、処理装置２３が設定用装置として選択されたことを通知する。
【００１８】
設定用装置として選択された処理装置２３は、Ｓ４で、ＵＥ４を識別する情報と、ＵＥ４に割当てた無線リソースを示す情報、つまり、ＵＥ４の送信タイミングを示す情報とを制御装置１に送信する。制御装置１は、Ｓ５で、開始通知を行った処理装置２１と、選択装置のうち設定用装置として選択されなかった処理装置２２に、ＵＥ４を識別する情報と、ＵＥ４に割当てた無線リソースを示す情報と、を送信する。これにより、処理装置２１は、図４により説明した様に、遅延時間を測定して設定する。また、選択装置のうち設定用装置として選択されなかった処理装置２２は、処理装置２３がＵＥ４に割当てた無線リソースと同じ無線リソースを、処理装置２２に対応する無線装置３２が提供するセルに在圏するＵＥに割当てない様にする。或いは、選択装置のうち設定用装置として選択されなかった処理装置２２は、処理装置２３がＵＥ４に割当てた無線リソースと同じ周波数帯域の総ての無線リソースを、無線装置３２が提供するセルに在圏するＵＥに割当てない様にする。これにより、無線装置３１への干渉を抑えて、処理装置２１が、ＵＥ４からの信号の受信タイミングを正しく判定できるようにする。なお、設定用装置として選択された処理装置２３は、ＵＥ４に割当てた周波数帯域と同じ帯域の他の無線リソースを、無線装置３３が提供するセルに在圏する他のＵＥに割り当てない様にする。これにより、処理装置２１は、ＵＥ４からの信号の受信タイミングを正しく判定することができる。
【００１９】
処理装置２１は、ＵＥ４からの信号の受信タイミングを判定でき、遅延時間の設定が完了すると、Ｓ６で、制御装置１に完了通知を送信する。制御装置１は、処理装置２１から完了通知を受信すると、Ｓ７で、選択装置である処理装置２２及び２３に終了通知を送信する。終了通知を受信すると、処理装置２２及び２３は、収容するＵＥに対する上述した無線リソースの割り当て制限を解除する。なお、処理装置２１は、所定の期間が経過してもＵＥ４からの信号の受信タイミングを判定できない場合、制御装置１に不完了通知を行う。この場合、制御装置１は、選択装置から他の処理装置を設定用装置として選択し直し、Ｓ３から処理を繰り返す。
【００２０】
以上の構成により、処理装置２１に対して適切な遅延時間を設定することができる。なお、基準タイミングについては、例えば、各処理装置にＧＰＳ受信機を設けることで、各処理装置は取得することができる。或いは、制御装置１が各処理装置に基準タイミングを通知する構成とすることもできる。
【００２１】
なお、設定用装置とする基地局装置は、本実施形態の様に処理装置と無線装置とに分割された基地局装置（以下、基地局装置Ａ）ではなく、ＢＢＵとＲＲＨとに分割された基地局装置（以下、基地局装置Ｂ）を使用することができる。同様に、設定用装置とする基地局装置は、ベーバンド処理から無線信号の送受信までを行う、従来の基地局装置（以下、基地局装置Ｃ）とすることもできる。基地局装置Ｂ及びＣには、上述した様に、本実施形態による遅延測定方法は必要ではない。基地局装置Ａは、基地局装置Ｂ及びＣが提供するセル内の一部の領域にサービス提供を行うために設けられることが想定されている。したがって、基地局装置Ａの配置当初は、基地局装置Ｂ又はＣに収容されているＵＥの送信信号を利用して基地局装置Ａを構成し、基地局装置Ａの配置数が増加した後は、基地局装置Ａ〜Ｃを利用して、新たに配置する基地局装置Ａを構成することができる。
【００２２】
なお、制御装置１は、移動通信システム内の複数の位置に分散配置された装置を、ネットワークを介して相互接続することで構成することができる。上述した様に、制御装置１は、複数の基地局装置のうちの第１基地局装置（処理装置２１と無線装置３１の組）とは異なる１つ以上の第２基地局装置（第１基地局装置以外の基地局装置）から設定用装置（処理装置２３と無線装置３３の組）を選択する選択部を有する。より詳しくは、制御装置１の選択部は、処理装置２１からの要求に応答して、１つ以上の第２基地局装置から所定条件を満たす第２基地局装置（処理装置２２と無線装置３２の組と、処理装置２３と無線装置３３の組）を選択装置として選択し、選択装置から選択した第２基地局装置を設定用装置とする。なお、所定条件は、第２基地局装置の無線信号の送受信処理を行う装置が、無線装置３１と所定距離以内に設置されていると満たされる。また、制御装置１は、設定用装置がＵＥ４に割当てた上り方向の無線リソースを示す情報を取得する取得部を有する。さらに、制御装置１は、設定用装置から取得した無線リソースを第１基地局装置の処理装置２１と、選択装置のうち設定用装置として選択しなかった第２基地局装置に通知する通知部を有する。なお、通知部は、処理装置２１から完了通知を受け取ると、選択装置に終了通知を行う。また、選択部は、処理装置２１から不完了通知を受け取ると、選択装置のうち、設定用装置の選択していない装置から設定用装置を再選択する。これら、選択部、取得部及び通知部を、１つの装置内に実装することで制御装置１を構成することも、移動通信システム内に分散配置された複数の装置を協働させて選択部、取得部及び通知部を実現することで制御装置１を構成することもできる。
【００２３】
なお、ＴＤＤ方式における無線信号の送受信タイミングの同期を例にして本実施形態の説明を行ったが、ＦＤＤ方式であっても、無線信号の送受信タイミングの同期が必要な場合には、本発明を適用することができる。
【００２４】
また、本発明による制御装置、処理装置は、１つ以上のプロセッサを有する装置の当該１つ以上のプロセッサで実行されると、当該装置を、上記制御装置、処理装置として動作させるコンピュータプログラムにより実現することができる。これらコンピュータプログラムは、コンピュータが読み取り可能な記憶媒体に記憶されて、又は、ネットワーク経由で配布が可能なものである。
【符号の説明】
【００２５】
１：制御装置、２１〜２３：処理装置、３１〜３３：無線装置
【図１】
2019208159.tif 000003
【図２】
2019208159.tif 000004
【図３】
2019208159.tif 000005
【図４】
2019208159.tif 000006
【図５】
2019208159.tif 000007